(57)【要約】【課題】分散媒中の粒子体を電気泳動により所定の位置に集めて光学顕微鏡で観察するために、従来は分散媒の底面と表面に分散媒を挟んで対向する電極を配設していた。このため、該電極を配設できるようにした特別の試料台と、該電極に電源を接続するための通電手段を光学顕微鏡に付設するなどの複雑な敷設操作が必要であった。【解決手段】本発明は、光学顕微鏡のスライドガラスの表面に所定の形状で平面的に配列する電極を配設することにより、電気泳動を利用した簡単で実用的な粒子体観測装置を提供するものである。【選択図】　　　　　図１
2004144639.tif 000002
【特許請求の範囲】
【請求項１】
スライドガラス上に配置された分散媒中の粒子体を観測するようにした光学顕微鏡において、前記スライドガラスの表面上に所定の間隙を有して配列する電極を配設し、該電極に直流電界を印加することにより電気泳動により該電極の近傍に前記粒子体を固着させて観測するようにしたことを特徴とする粒子体観測装置およびスライドガラス。
【請求項２】
観測対象となる粒子体の直径または長径の１倍以上の間隙を有して同一面上に平行に配列する電極を配設したスライドガラスを用いることを特徴とする請求項１記載の粒子体観測装置およびスライドガラス。
【請求項３】
電極を配設した前記スライドガラスの表面に分散媒を保有するためのスペーサを配設して、スライドガラスとスペーサを一体化したことを特徴とする請求項１記載の粒子体観測装置およびスライドガラス。
【請求項４】
光学顕微鏡の試料台にスライドガラスを固定する金具を通じて該スライドガラス表面の電極に通電するようにしたことを特徴とする請求項１記載の粒子体観測装置。
【発明の詳細な説明】
【０００１】
【発明の属する技術分野】
本発明は、光学顕微鏡で分散媒中に浮遊する粒子体を観察する場合、観察の能率を高めるために該粒子体を電気泳動により所定の位置に集める方法および装置に関するものである。
【０００２】
【従来の技術】
従来、分散媒中の粒子体を電気泳動により所定の位置に集めて光学顕微鏡で観察する場合、分散媒を挟んで対向する電極を配設することが必要であった。このため、該分散媒の表面と底面に上下に対向する電極を配設する方法、また対向する一対の電極を該分散媒中に埋めて配設する方法などが提案されていた。（例えば、特許文献１参照。）。
【０００３】
【特許文献１】
特開２００１−１０８５９６号公報　　（第１−２頁。図１）
【０００４】
【発明が解決しようとする課題】
従来技術では、分散媒中の粒子体を電気泳動により所定の位置に集めるために、該分散媒を挟んで対向する電極を配設していた。これを装置として実現するためには、例えば対向する電極を配置できる特別の試料台と、該電極に電源を接続するための通電手段を光学顕微鏡に付設するなどの複雑な付設手段が必要であった。
【０００５】
本発明は、分散媒中の粒子体を電気泳動により所定の位置に集めて顕微鏡で観察する場合に必要となる前記付設手段を、簡単で実用的なものにすることを目的とするものである。
【０００６】
【課題を解決するための手段】
本発明は上記目的を達成するために、光学顕微鏡のスライドガラスの表面に所定の形状で配列する電極を配設して用いるようにすることにより、簡単で実用的な手段を提供するものである。
【０００７】
【発明の実施の形態】
以下、本発明の実施の形態として一実施例を図１〜図８に基づいて説明する。
【０００８】
本発明による光学顕微鏡による粒子体観測装置の実施例を図１の模式図に示す。図において１はスライドガラス、２は該スライドガラスの表面に配設された電極、３は観測対象となる粒子体、４は該粒子体を保有する分散媒、５は分散媒を保有するためのスペーサ、６はカバーガラス、７は直流電源、８はスイッチ、９は対物レンズ、１０は顕微鏡光学系、１１は光学顕微鏡の試料台、２１は陰電極、２２は陽電極、２３は電極間隙、１０１、１０２は固定金具である。
【０００９】
図１においてスライドガラス１の上に配置された分散媒４の中の粒子体３は、スイッチ８の操作で電極２に直流電圧が印加されると対向する電極間の近傍に直流電界が発生しこの電界の影響をうけて、電気泳動により陰極となる電極の方に移動する。
【００１０】
この結果、図２および図３のように粒子体３はスライドガラス１の表面の陰電極２１の近辺に集められる。
【００１１】
図３は該スライドガラス１の電極間隙の部分の動作の理解を助けるための平面図である。粒子体３は図のように電気泳動により陰電極２１の近傍に集められる。
【００１２】
図４は光学顕微鏡の試料台とスライドガラスの固定部分の構造の実施例を示す。光学顕微鏡の試料台１に搭載されたスライドガラス１は金具１０１，１０２によって試料台１１に固定される。同時に金具１０１，１０２はそれぞれ陰電極２１および陽電極２２に接触して電気的接続の役割を果たす。このようにすれば、簡単な構造でスライドガラス表面の電極に電源を接続できる。
【００１３】
図５はスライドガラス１の表面に配設する電極の一実施例である。陰電極２１と陽電極２２が一定の電極間隙を挟んで同一平面上で対向している。
【００１４】
図６はスライドガラス１の表面に配設する電極の他の実施例である。この場合も陰電極２１と陽電極２２が一定の電極間隙を挟んで同一平面上で対向している。
【００１５】
図７はスライドガラス１の表面に配設する電極のさらに他の実施例である。この場合も陰電極２１と陽電極２２が一定の電極間隙を挟んで同一平面上で対向している。
【００１６】
このような電極のスライドガラスへの配設は蒸着、メッキ、印刷などの手段により容易に実現可能である。
【００１７】
図８は電極２を配設したスライドガラス１の表面に分散媒を保有するためのスペーサ５を配設して、スライドガラスとスペーサを一体化した構造を示す平面図である。また図９は同構造を示す側面図である。このよな一体化構造によるスライドガラスを用いれば簡便な操作で分散媒を保有して粒子観測を行うことが出来る。
【発明の効果】
このように本発明によれば、電極を表面に配設したスライドガラスを用いることにより、簡単な構造で電気泳動により粒子体を電極近傍に集めて観測することが可能となり、安価で能率の高い粒子体観測装置が実現できる。
【００１８】
さらに本発明によれば、電気泳動機能をもたせたスライドガラスの脱着が通常の光学顕微鏡とほとんど変わらない簡便さで実施でき、実用的価値が高い。
【図面の簡単な説明】
【図１】本発明の一実施例よる電気泳動を利用した光学顕微鏡による粒子体観測装置の模式図
【図２】本発明の作用を説明するための参考図
【図３】スライドガラス１の電極間隙の部分の動作を理解するための平面図
【図４】試料台とスライドガラスの固定部分の構造の実施例
【図５】スライドガラス１の表面に配設する電極の一実施例
【図６】スライドガラス１の表面に配設する電極の他の実施例
【図７】スライドガラス１の表面に配設する電極のさらに他の実施例
【図８】スライドガラスとスペーサの一体化構造を示す正面図
【図９】スライドガラスとスペーサの一体化構造を示す平面図
【符号の説明】
１　スライドガラス
２　電極
２１　陰電極
２２　陽電極
２３　電極間隙
３　粒子体
４　分散媒
５　スペーサ
６　カバーガラス
７　直流電源
８　スイッチ
９　対物レンズ
１０　顕微鏡光学系
１１　試料台
１０１　固定金具
１０２　固定金具
【図１】
2004144639.tif 000003
【図２】
2004144639.tif 000004
【図３】
2004144639.tif 000005
【図４】
2004144639.tif 000006
【図５】
2004144639.tif 000007
【図６】
2004144639.tif 000008
【図７】
2004144639.tif 000009
【図８】
2004144639.tif 000010
【図９】
2004144639.tif 000011